【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
媒体上でワイヤレスメッセージを送信する方法であって、
第１のワイヤレスデバイスが、第２のワイヤレスデバイスによって送信された第１のワイヤレスメッセージの第１の部分を受信すること、ここにおいて、前記第１のワイヤレスメッセージは、前記第１の部分と第２の部分とを含み、前記第１のワイヤレスメッセージの前記第１の部分は、前記第１のワイヤレスメッセージを受信するデバイスが前記第１のワイヤレスメッセージの受信の間に送信を延期することを前記第２のワイヤレスデバイスが要求するかどうかを示す延期フィールドを備える、と、
前記第１のワイヤレスメッセージの前記第２の部分を受信することと、
前記第１のワイヤレスメッセージの受信の間に送信が延期されることを前記第２のワイヤレスデバイスが要求することを前記延期フィールドが示す場合、前記第１のワイヤレスメッセージの前記第２の部分の前記受信の間に第２のワイヤレスメッセージの送信を延期することと、
前記第１のワイヤレスデバイスが、前記第１のワイヤレスメッセージの受信の間に送信が延期されることを前記第２のワイヤレスデバイスが要求しないことを示す前記延期フィールドに応答して、前記第１のワイヤレスデバイスによって前記第１のワイヤレスメッセージの前記第２の部分の前記受信と少なくとも部分的に同時に、第３のワイヤレスデバイスに前記第２のワイヤレスメッセージを送信することと
を備える、方法。
【請求項２】
前記第１のワイヤレスデバイスによって、アクセスポイントと関連付けることと、
前記アクセスポイントからの送信繰り延べルールを、前記第１のワイヤレスデバイスによって受信することと、
前記第１のワイヤレスデバイスが、前記繰り延べルールに基づいて、前記第１のワイヤレスメッセージの前記第２の部分の受信の間に前記第２のワイヤレスメッセージの前記送信を延期するかどうかを決定することと
をさらに備える、請求項１に記載の方法。
【請求項３】
前記第１のワイヤレスデバイスのタイプに基づいて、前記第１のワイヤレスメッセージの前記第２の部分の受信の間に前記第２のワイヤレスメッセージの前記送信を延期するかどうかを決定することをさらに備える、
請求項１に記載の方法。
【請求項４】
前記第１のワイヤレスメッセージの宛先デバイスが、前記第１のワイヤレスメッセージのための前記宛先デバイスのタイプのインジケーションに基づいてアクセスポイントか局かのいずれかであると決定することと、
前記宛先デバイスがアクセスポイントであるかまたは局であるかに基づいて前記第２のワイヤレスメッセージの前記送信を延期するかどうかを決定することと
をさらに備える、請求項１に記載の方法。
【請求項５】
前記第２のワイヤレスメッセージの送信の繰り延べは、前記第１のワイヤレスメッセージのための宛先デバイスの前記タイプ、前記第１のワイヤレスデバイスの前記タイプ、および前記第２のワイヤレスデバイスの基本サービスセット（ＢＳＳ）および前記第１のワイヤレスデバイスの基本サービスセット（ＢＳＳ）が等しいかどうかに、少なくとも部分的に、基づく、
請求項４に記載の方法。
【請求項６】
前記第１のワイヤレスデバイスがアクセスポイントであり、前記第１のワイヤレスメッセージのための前記宛先デバイスが局であり、前記基本サービスセットが異なる場合、前記第２のワイヤレスメッセージの前記送信は、延期されない、
請求項５に記載の方法。
【請求項７】
前記第１のワイヤレスデバイスがアクセスポイントであり、前記第１のワイヤレスメッセージのための前記宛先デバイスがアクセスポイントであり、前記基本サービスセットが異なる場合、前記第２のワイヤレスメッセージの前記送信は、延期されない、
請求項５に記載の方法。
【請求項８】
前記第１のワイヤレスメッセージの前記第１の部分は、前記第１のワイヤレスメッセージのプリアンブル内に送信電力のインジケーションをさらに備え、前記第２のワイヤレスメッセージの前記送信の繰り延べは、前記送信電力インジケーションにさらに基づく、
請求項１に記載の方法。
【請求項９】
前記第１のワイヤレスメッセージの受信信号強度および前記送信電力に基づいて前記第２のワイヤレスメッセージの前記送信を延期するかどうかを決定することをさらに備える、
請求項８に記載の方法。
【請求項１０】
前記第１のワイヤレスメッセージの前記送信電力および前記第１のワイヤレスメッセージの受信信号強度に基づいて前記第１のワイヤレスメッセージのパスロスを決定することと、
前記第２のワイヤレスデバイスの基本サービスセットが前記第１のワイヤレスデバイスの前記基本サービスセットと異なり、前記パスロスがしきい値より上である場合、前記第２のワイヤレスメッセージの前記送信を延期すると決定することと
をさらに備える、請求項８に記載の方法。
【請求項１１】
前記第２のワイヤレスメッセージの送信の繰り延べは、前記第１のワイヤレスデバイスと前記第３のワイヤレスデバイスとの距離にさらに基づく、
請求項１に記載の方法。
【請求項１２】
前記第２のワイヤレスメッセージの送信の繰り延べは、前記第２のワイヤレスデバイスの基本サービスセット（ＢＳＳ）および前記第１のワイヤレスデバイスの前記基本サービスセット（ＢＳＳ）が、異なるかどうか、および前記第１のワイヤレスメッセージの送信の間に前記第２のワイヤレスデバイスが繰り延べを要求することを前記延期フィールドが示すかどうかに基づく、
請求項１に記載の方法。
【請求項１３】
前記第２のワイヤレスメッセージの送信の前記繰り延べは、前記第１のワイヤレスデバイスがアクセスポイントであるかまたは局であるか、且つ前記第３のワイヤレスデバイスがアクセスポイントであるかまたは局であるかにさらに基づく、
請求項１２に記載の方法。
【請求項１４】
前記基本サービスセットが異なり、前記第１のワイヤレスデバイスがアクセスポイントであり、前記第１のワイヤレスデバイスと前記第３のワイヤレスデバイスとの距離が距離しきい値未満である場合、繰り延べが要求されることを示す前記延期フィールドに関わらず前記送信を延期しないと決定することをさらに備える、
請求項１３に記載の方法。
【請求項１５】
前記基本サービスセットが異なり、前記第１のワイヤレスデバイスと宛先デバイスの両方がアクセスポイントである場合、繰り延べが要求されることを示す前記延期フィールドに関わらず前記第２のワイヤレスメッセージの前記送信を延期しないと決定することをさらに備える、
請求項１３に記載の方法。
【請求項１６】
前記第１のワイヤレスメッセージの受信信号強度に、少なくとも部分的に、基づいて前記第２のワイヤレスメッセージの前記送信を延期するかどうかを決定することをさらに備える、
請求項１に記載の方法。
【請求項１７】
前記第２のワイヤレスデバイスの基本サービスセットが前記第１のワイヤレスデバイスの基本サービスセットと異なり、前記第１のワイヤレスメッセージの前記受信信号強度がエネルギーしきい値未満である場合、前記第２のワイヤレスメッセージの前記送信を延期しないと決定することをさらに備える、
請求項１６に記載の方法。
【請求項１８】
前記第２のワイヤレスメッセージの前記送信を延期しないと前記決定することは、前記第１および第２のワイヤレスデバイスがアクセスポイントであることにさらに基づく、
請求項１７に記載の方法。
【請求項１９】
媒体上でワイヤレスメッセージを送信するための装置であって、
第１のワイヤレスデバイスからの第１のワイヤレスメッセージの第１の部分を受信するように構成された受信機、ここにおいて、前記第１の部分は、
受信デバイスが前記第１のワイヤレスメッセージの受信の間に送信を延期することを前記第１のワイヤレスデバイスが要求するかどうかを示す延期フィールドを備える、と、
前記第１のワイヤレスメッセージの第２の部分を受信することと、
前記延期フィールドに、少なくとも部分的に、基づいて前記第２の部分の前記受信の間に第２のワイヤレスデバイスへの第２のワイヤレスメッセージの送信を延期するかどうかを決定するように構成されたプロセッサと、
前記第１のワイヤレスメッセージの受信の間に送信が延期されることを前記第２のワイヤレスデバイスが要求することを前記延期フィールドが示す場合、前記第１のワイヤレスメッセージの前記第２の部分の前記受信の間に前記第２のワイヤレスメッセージの送信を延期するように、および前記第１のワイヤレスメッセージの受信の間に送信が延期されることを前記第２のワイヤレスデバイスが要求することを示す前記延期フィールドに応答して、前記装置によって前記第１のワイヤレスメッセージの前記第２の部分の前記受信と少なくとも部分的に同時に、前記第２のワイヤレスデバイスに前記第２のワイヤレスメッセージを送信するように構成された送信機と
を備える、装置。
【請求項２０】
前記プロセッサは、前記第１のワイヤレスメッセージの宛先のタイプが前記第１のワイヤレスメッセージ中の宛先デバイスのタイプのインジケーションに基づいて、アクセスポイントであるかまたは局であるかを決定し、前記タイプに基づいて前記第２のワイヤレスメッセージの送信を延期するように構成される、
請求項１９に記載の装置。
【請求項２１】
前記プロセッサは、前記第１のワイヤレスメッセージのための宛先デバイスの前記タイプ、前記装置のタイプ、および前記第１のワイヤレスデバイスの基本サービスセット（ＢＳＳ）および前記装置の基本サービスセット（ＢＳＳ）が等しいかどうかに、少なくとも部分的に、基づいて前記第２のワイヤレスメッセージの前記送信を延期するかどうかを決定するように構成される、
請求項２０に記載の装置。
【請求項２２】
前記プロセッサは、前記装置がアクセスポイントであり、前記第１のワイヤレスメッセージのための前記宛先デバイスが局であり、前記基本サービスセットが異なる場合、前記第２のワイヤレスメッセージの前記送信を延期しないと決定するようにさらに構成される、
請求項２１に記載の装置。
【請求項２３】
前記プロセッサは、前記装置がアクセスポイントであり、前記第１のワイヤレスメッセージのための前記宛先デバイスがアクセスポイントであり、前記基本サービスセットが異なる場合、前記第２のワイヤレスメッセージの前記送信を延期しないと決定するようにさらに構成される、
請求項２１に記載の装置。
【請求項２４】
前記プロセッサは、前記装置と前記第２のワイヤレスデバイスとの距離に基づいて前記第２のワイヤレスメッセージの前記送信を延期するかどうかを決定するようにさらに構成される、
請求項２１に記載の装置。
【請求項２５】
前記プロセッサは、アクセスポイントと関連付けるように、および前記アクセスポイントから受信した送信繰り延べルールの少なくともインジケーションに基づいて前記第２のワイヤレスメッセージの前記送信を延期するかどうかを決定するようにさらに構成される、
請求項１９に記載の装置。
【請求項２６】
前記プロセッサは、前記装置のタイプに基づいて前記第２のワイヤレスメッセージの前記送信を延期するかどうかを決定するようにさらに構成される、
請求項１９に記載の装置。
【請求項２７】
前記第１のワイヤレスメッセージは、前記第１のワイヤレスメッセージのプリアンブル内の送信電力のインジケータをさらに備え、前記プロセッサは、前記示された送信電力に基づいて前記第２のワイヤレスメッセージの送信を延期するかどうかを決定するようにさらに構成される、
請求項１９に記載の装置。
【請求項２８】
前記プロセッサは、前記第１のワイヤレスメッセージの受信信号強度および前記送信電力に基づいて前記第２のワイヤレスメッセージの前記送信を延期するかどうかを決定するようにさらに構成される、
請求項２７に記載の装置。
【請求項２９】
前記プロセッサは、
前記第１のワイヤレスメッセージの前記送信電力および前記第１のワイヤレスメッセージの受信信号強度に基づいて前記第１のワイヤレスメッセージのパスロスを決定することと、
前記第２のワイヤレスデバイスの基本サービスセットが前記第１のワイヤレスデバイスの前記基本サービスセットと異なり、前記パスロスがしきい値未満である場合、前記第２のワイヤレスメッセージの前記送信を延期しないと決定することと
を行うようにさらに構成される、請求項２７に記載の装置。
【請求項３０】
前記プロセッサは、第１のワイヤレスデバイス基本サービスセット（ＢＳＳ）および前記装置の基本サービスセット（ＢＳＳ）が異なるかどうか、および受信デバイスが前記第１のワイヤレスメッセージの前記受信の間に送信を延期することを前記第１のワイヤレスデバイスが要求したかどうかを前記延期フィールドが示すかどうかに基づいて、前記第２のワイヤレスメッセージの前記送信を延期するかどうかを決定するように構成される、
請求項１９に記載の装置。
【請求項３１】
前記プロセッサは、前記装置がアクセスポイントであるかまたは局であるか、且つ前記第２のワイヤレスデバイスがアクセスポイントであるかまたは局であるかに基づいて、前記第２のワイヤレスメッセージの前記送信を延期するかどうかを決定するように構成される、
請求項３０に記載の装置。
【請求項３２】
前記プロセッサは、前記基本サービスセットが異なり、前記装置がアクセスポイントであり、前記装置と前記第１のワイヤレスデバイスとの距離が距離しきい値未満である場合、繰り延べが要求されることを示す前記延期フィールドに関わらず前記第２のワイヤレスメッセージの前記送信を延期しないと決定するように構成される、
請求項３１に記載の装置。
【請求項３３】
前記プロセッサは、前記基本サービスセットが異なり、前記装置と宛先デバイスの両方がアクセスポイントである場合、前記第１のワイヤレスメッセージ中で、繰り延べが要求されることを示す前記延期フィールドに関わらず前記第２のワイヤレスメッセージの前記送信を延期しないように構成される、
請求項３１に記載の装置。
【請求項３４】
前記プロセッサは、前記第１のワイヤレスメッセージの受信信号強度に、少なくとも部分的に、基づいて前記第２のワイヤレスメッセージの前記送信を延期するかどうかを決定するようにさらに構成される、
請求項１９に記載の装置。
【請求項３５】
前記プロセッサは、前記第２のワイヤレスデバイスの基本サービスセットが前記第１のワイヤレスデバイスの基本サービスセットと異なり、前記第１のワイヤレスメッセージの前記受信信号強度がエネルギーしきい値未満である場合、前記第２のワイヤレスメッセージの前記送信を延期しないと決定するようにさらに構成される、
請求項３４に記載の装置。
【請求項３６】
前記プロセッサは、前記第１および第２のワイヤレスデバイスがアクセスポイントである場合、前記第２のワイヤレスメッセージの前記送信を延期しないことを決定するようにさらに構成される、
請求項３４に記載の装置。
【請求項３７】
ワイヤレスネットワーク内でメッセージを送信する方法であって、前記ワイヤレスネットワークは、キャリアセンス媒体アクセスを利用し、前記方法は、
第１のワイヤレスメッセージを、第１のワイヤレスデバイスによって生成すること、前記メッセージは、前記第１のワイヤレスメッセージの送信の間に前記第１のワイヤレスメッセージを受信するデバイスがそれら自身の送信を延期することを前記第１のワイヤレスデバイスが要求するかどうかを示す延期フィールドを含む、と、
前記第１のワイヤレスメッセージを、前記第１のワイヤレスデバイスによって送信すること、ここにおいて、前記第１のメッセージは、前記第１のワイヤレスメッセージの宛先デバイスが局であるかまたはアクセスポイントであるかを示すようにさらに生成される、と
を備える、方法。
【請求項３８】
ワイヤレスネットワーク内のメッセージを送信するための装置であって、前記ワイヤレスネットワークは、キャリアセンス媒体アクセスを利用し、前記装置は、
第１のワイヤレスメッセージを生成するように構成されたプロセッサ、前記メッセージは、前記第１のワイヤレスメッセージを受信するデバイスが前記第１のワイヤレスメッセージの送信の間にそれら自身の送信を延期することを前記装置が要求するかどうかを示す延期フィールドを備える、と、
前記第１のワイヤレスメッセージを送信するように構成される送信機、ここにおいて、前記プロセッサは、宛先デバイスが局であるかまたはアクセスポイントであるかを示すために前記第１のワイヤレスメッセージを生成するようにさらに構成される、と
を備える、装置。
【手続補正２】
【補正対象書類名】明細書
【補正対象項目名】０１８３
【補正方法】変更
【補正の内容】
【０１８３】
[00200]前述は本開示の態様を対象とするが、本開示の他の態様およびさらなる態様は、その基本的範囲から逸脱することなく考案され得、その範囲は以下の特許請求の範囲によって決定される。
以下に、本願出願の当初の特許請求の範囲に記載された発明を付記する。
［Ｃ１］
キャリアセンス多元接続（ＣＳＭＡ）を利用する媒体上でワイヤレスメッセージを送信する方法であって、
第１のワイヤレスデバイスを介して、第２のワイヤレスデバイスによって送信された第１のワイヤレスメッセージの少なくとも一部を受信すること、ここにおいて、前記第１のワイヤレスメッセージの前記少なくとも一部は、１つまたは複数のインジケーションを備え、前記インジケーションは、前記第１のワイヤレスメッセージのための宛先デバイスのタイプ、前記第２のワイヤレスデバイスの基本サービスセット（ＢＳＳ）、受信デバイスが前記第１のワイヤレスメッセージの送信の間に送信を延期することを前記第２のワイヤレスデバイスが要求するかどうか、および前記第１のワイヤレスメッセージの波形の属性のうちの１つまたは複数を備える、と、
前記インジケーションのうちの１つまたは複数に、少なくとも部分的に、基づいて第３のワイヤレスデバイスに行くことになる第２のワイヤレスメッセージの送信を延期するかどうかを決定することと、
前記決定に基づいて前記第３のワイヤレスデバイスに前記第２のワイヤレスメッセージを送信することと
を備える、方法。
［Ｃ２］
前記第２のワイヤレスデバイスの前記基本サービスセットが前記第１のワイヤレスデバイスの前記基本サービスセットと異なると決定するために、前記一部を復号することと、
前記違いに基づいて前記第１のワイヤレスメッセージの受信と少なくとも部分的に同時に前記第２のワイヤレスメッセージを送信することと
をさらに備える、Ｃ１に記載の方法。
［Ｃ３］
アクセスポイントからまたは制御器から送信繰り延べルールを受信することと、前記繰り延べルールに基づいて前記第２のワイヤレスメッセージの送信を延期するかどうかを決定することと
をさらに備える、Ｃ１に記載の方法。
［Ｃ４］
前記第１のワイヤレスデバイスのタイプに基づいて前記第２のワイヤレスメッセージの送信を延期するかどうかを決定することをさらに備える、
Ｃ１に記載の方法。
［Ｃ５］
前記宛先デバイスが前記第１のワイヤレスメッセージのための前記宛先デバイスのタイプの前記インジケーションに基づいてアクセスポイントか局かのいずれかであると決定することと
前記宛先デバイスがアクセスポイントまたは局かどうかに基づいて前記第２のワイヤレスメッセージの送信を延期するかどうかを決定することと
をさらに備えるＣ１に記載の方法。
［Ｃ６］
前記第１のワイヤレスメッセージの前記一部は、前記第１のワイヤレスメッセージの送信電力のインジケーションをさらに備え、延期するかどうかを前記決定することは、前記送信電力インジケーションにさらに基づく、
Ｃ１に記載の方法。
［Ｃ７］
前記第２のワイヤレスメッセージの送信を延期するかどうかを前記決定することは、前記第１のワイヤレスメッセージのための前記宛先デバイスの前記タイプ、前記第１のワイヤレスデバイスのタイプ、および前記第２のワイヤレスデバイスの前記基本サービスセット（ＢＳＳ）および前記第１のワイヤレスデバイスの前記基本サービスセット（ＢＳＳ）が等しいかどうかに少なくとも部分的に基づく、
Ｃ１に記載の方法。
［Ｃ８］
前記第１のワイヤレスデバイスがアクセスポイントであり、前記第１のワイヤレスメッセージのための前記宛先デバイスが局であり、前記基本サービスセットが異なる場合、前記第２のワイヤレスメッセージの送信は、延期されない
Ｃ７に記載の方法。
［Ｃ９］
前記第１のワイヤレスデバイスがアクセスポイントであり、前記第１のワイヤレスメッセージのための宛先デバイスがアクセスポイントであり、前記基本サービスセットが異なる場合、前記第２のワイヤレスメッセージの送信は、延期されない
Ｃ７に記載の方法。
［Ｃ１０］
前記決定することは、前記第１のワイヤレスデバイスと前記第３のワイヤレスデバイスとの距離にさらに基づく、
Ｃ１に記載の方法。
［Ｃ１１］
前記決定することは、前記第２のワイヤレスデバイスの前記基本サービスセット（ＢＳＳ）および前記第１のワイヤレスデバイスの前記基本サービスセット（ＢＳＳ）が、異なるかどうか、および繰り延べ要求が前記第１のワイヤレスメッセージによって示されるかどうかに基づく、
Ｃ１に記載の方法。
［Ｃ１２］
前記決定することは、前記第１のワイヤレスデバイスがアクセスポイントまたは局であるかどうか、且つ前記第３のワイヤレスデバイスがアクセスポイントまたは局かどうかにさらに基づく、
Ｃ１１に記載の方法。
［Ｃ１３］
前記基本サービスセットが異なり、前記第１のワイヤレスデバイスがアクセスポイントであり、前記第１のワイヤレスデバイスと前記第３のワイヤレスデバイスとの距離が距離しきい値未満である場合、前記第１のワイヤレスメッセージ中に要求されている繰り延べに関わらず送信を延期しないと決定することをさらに備える、
Ｃ１２に記載の方法。
［Ｃ１４］
前記基本サービスセットが異なり、前記第１のワイヤレスデバイスと前記宛先デバイスの両方がアクセスポイントである場合、前記第１のワイヤレスメッセージ中に要求されている繰り延べに関わらず前記第２のワイヤレスメッセージの送信を延期しないと決定することをさらに備える、
Ｃ１２に記載の方法。
［Ｃ１５］
前記第１のワイヤレスメッセージの受信信号強度に、少なくとも部分的に、基づいて前記第２のワイヤレスメッセージの送信を延期するかどうかを決定することをさらに備える、
Ｃ１に記載の方法。
［Ｃ１６］
前記第２のワイヤレスデバイスの前記基本サービスセットが前記第１のワイヤレスデバイスの前記基本サービスセットと異なり、前記第１のワイヤレスメッセージの前記受信信号強度がエネルギーしきい値未満である場合、前記第２のワイヤレスメッセージの送信を延期しないと決定することをさらに備える、
Ｃ１５に記載の方法。
［Ｃ１７］
前記第２のワイヤレスメッセージの送信を延期しないと前記決定することは、前記第１および第２のワイヤレスデバイスがアクセスポイントであることにさらに基づく、
Ｃ１６に記載の方法。
［Ｃ１８］
前記第１のワイヤレスメッセージの受信信号強度および前記送信電力に基づいて前記第２のワイヤレスメッセージの送信を延期するかどうかを決定することをさらに備える、
Ｃ６に記載の方法。
［Ｃ１９］
前記第１のワイヤレスメッセージの前記送信電力および前記第１のワイヤレスメッセージの受信信号強度に基づいて前記第１のワイヤレスメッセージのパスロスを決定することと、
前記第２のワイヤレスデバイスの前記基本サービスセットが前記第１のワイヤレスデバイスの前記基本サービスセットと異なり、前記パスロスがしきい値より上である場合、前記第２のワイヤレスメッセージの送信を延期すると決定することと
をさらに備える、Ｃ６に記載の方法。
［Ｃ２０］
キャリアセンス多元接続（ＣＳＭＡ）を利用する媒体上でワイヤレスメッセージを送信するための装置であって、第１のワイヤレスデバイスからの第１のワイヤレスメッセージの少なくとも一部を受信するように構成された受信機、ここにおいて、前記第１のワイヤレスメッセージは、１つまたは複数のインジケーションを備え、前記インジケーションは、前記第１のワイヤレスメッセージのための宛先デバイスのタイプ、前記第１のワイヤレスデバイスの基本サービスセット（ＢＳＳ）、受信デバイスが前記第１のワイヤレスメッセージの送信の間に送信を延期することを前記第１のワイヤレスデバイスが要求するかどうか、および前記第１のワイヤレスメッセージの波形の属性のうちの１つまたは複数を備える、と、
前記インジケーションのうちの１つまたは複数に、少なくとも部分的に、基づいて第２のワイヤレスデバイスへの前記第２のワイヤレスメッセージの送信を延期するかどうかを決定するように構成されたプロセッサと、
前記決定に基づいて前記第２のワイヤレスデバイスに前記第２のワイヤレスメッセージを送信するように構成された送信機と
を備える、装置。
［Ｃ２１］
前記プロセッサは、前記第１のワイヤレスデバイスの前記基本サービスセットと前記装置の前記基本サービスセットと異なる場合、前記第２のメッセージの送信を延期しないと決定するように構成される、
Ｃ２０に記載の装置。
［Ｃ２２］
前記プロセッサは、前記第１のワイヤレスメッセージの宛先の前記タイプが前記第１のワイヤレスメッセージ中の前記第１のワイヤレスメッセージの宛先の前記タイプの前記インジケーションに基づいてアクセスポイントまたは局かどうかを決定するように構成される、
Ｃ２０に記載の装置。
［Ｃ２３］
前記プロセッサは、少なくともアクセスポイントまたは制御機から受信した送信繰り延べルールに基づいて延期するかどうか決定するようにさらに構成される、
Ｃ２０に記載の装置。
［Ｃ２４］
前記プロセッサは、前記装置のタイプに基づいて延期するかどうか決定するようにさらに構成される、
Ｃ２０に記載の装置。
［Ｃ２５］
前記第１のワイヤレスメッセージの前記宛先デバイスの前記タイプの前記インジケーションは、前記宛先デバイスがアクセスポイントまたは局かどうかを示す
Ｃ２０に記載の装置。
［Ｃ２６］
前記第１のワイヤレスメッセージは、前記第１のワイヤレスメッセージの送信電力のインジケータをさらに備え、前記プロセッサは、前記示された送信電力に基づいて延期するかどうかを決定するようにさらに構成される、
Ｃ２０に記載の装置。
［Ｃ２７］
前記プロセッサは、前記第１のワイヤレスメッセージのための宛先デバイスの前記タイプ、前記装置の前記タイプ、および前記第１のワイヤレスデバイスの前記基本サービスセット（ＢＳＳ）および前記装置の前記基本サービスセット（ＢＳＳ）が等しいかどうかに、少なくとも部分的に、基づいて前記第２のワイヤレスメッセージの送信を延期するかどうか決定するように構成される、
Ｃ２０に記載の装置。
［Ｃ２８］
前記プロセッサは、前記装置がアクセスポイントであり、前記第１のワイヤレスメッセージのための前記宛先デバイスが局であり、前記基本サービスセットが異なる場合、前記第２のワイヤレスメッセージの送信を延期しないと決定するようにさらに構成される、
Ｃ２７に記載の装置。
［Ｃ２９］
前記プロセッサは、前記装置がアクセスポイントであり、前記第１のワイヤレスメッセージのための前記宛先デバイスがアクセスポイントであり、前記基本サービスセットが異なる場合、前記第２のワイヤレスメッセージの送信を延期しないと決定するようにさらに構成される、
Ｃ２７に記載の装置。
［Ｃ３０］
前記プロセッサは、前記装置と前記第２のワイヤレスデバイスとの距離に基づいて延期するかどうかを決定するようにさらに構成される、
Ｃ２７に記載の装置。
［Ｃ３１］
前記プロセッサは、前記第１のワイヤレスデバイス基本サービスセット（ＢＳＳ）および前記装置の前記基本サービスセット（ＢＳＳ）が異なり、受信デバイスが前記第１のワイヤレスメッセージの送信の間に送信を延期することを前記第１のワイヤレスデバイスが要求したかどうかを前記第１のワイヤレスメッセージが示すかどうかを決定するように構成される、
Ｃ２０に記載の装置。
［Ｃ３２］
前記プロセッサは、前記装置がアクセスポイントまたは局かどうか、且つ前記第２のワイヤレスデバイスがアクセスポイントまたは局かどうかに基づいて延期するかどうかを決定するように構成される、
Ｃ３１に記載の装置。
［Ｃ３３］
前記プロセッサは、前記基本サービスセットが異なり、前記装置がアクセスポイントであり、前記装置と前記第１のワイヤレスデバイスとの距離が距離しきい値未満である場合、前記第１のワイヤレスメッセージ中に要求されている繰り延べに関わらず前記第２のワイヤレスメッセージの送信を延期しないと決定することをさらに備える、
Ｃ３２に記載の装置。
［Ｃ３４］
前記プロセッサは、前記基本サービスセットが異なり、前記装置と前記宛先デバイスの両方がアクセスポイントである場合、前記第１のワイヤレスメッセージ中に要求されている繰り延べに関わらず前記第２のワイヤレスメッセージの送信を延期しないと決定するように構成される、
Ｃ３２に記載の装置。
［Ｃ３５］
前記プロセッサは、前記第１のワイヤレスメッセージの受信信号強度に、少なくとも部分的に、基づいて前記第２のワイヤレスメッセージの送信を延期するかどうかを決定するようにさらに構成される、
Ｃ２０に記載の装置。
［Ｃ３６］
前記プロセッサは、前記第２のワイヤレスデバイスの前記基本サービスセットが前記第１のワイヤレスデバイスの前記基本サービスセットと異なり、前記第１のワイヤレスメッセージの前記受信信号強度がエネルギーしきい値未満である場合、前記第２のワイヤレスメッセージの送信を延期しないと決定するようにさらに構成される、
Ｃ３５に記載の装置。
［Ｃ３７］
前記プロセッサは、前記第１および第２ワイヤレスデバイスがアクセスポイントである場合、前記第２のワイヤレスメッセージの送信を延期しないことを決定するようにさらに構成される、
Ｃ３５に記載の装置。
［Ｃ３８］
前記プロセッサは、前記第１のワイヤレスメッセージの受信信号強度および前記送信電力に基づいて前記第２のワイヤレスメッセージの送信を延期するかどうかを決定するようにさらに構成される、
Ｃ２６に記載の装置。
［Ｃ３９］
前記プロセッサは、前記第１のワイヤレスメッセージの前記送信電力および前記第１のワイヤレスメッセージの受信信号強度に基づいて前記第１のワイヤレスメッセージのパスロスを決定することと
前記第２のワイヤレスデバイスの前記基本サービスセットが前記第１のワイヤレスデバイスの前記基本サービスセットと異なり、前記パスロスがしきい値未満である場合、前記第２のワイヤレスメッセージの送信を延期すると決定することと
を行うようにさらに構成される、Ｃ２６に記載の装置。
［Ｃ４０］
密集したワイヤレスネットワーク内でメッセージを送信する方法であって、前記ワイヤレスネットワークは、キャリアセンス媒体アクセスを利用し、前記方法は、
第１のワイヤレスデバイスを介して、第１のワイヤレスメッセージを生成すること、前記メッセージは、１つまたは複数のインジケーションを備え、前記インジケーションは、前記第１のワイヤレスメッセージの宛先デバイスのタイプ、および前記第１のワイヤレスメッセージを受信するデバイスが前記第１のワイヤレスメッセージの送信の間に前記第１のワイヤレスメッセージを受信するデバイスがそれら自身の送信延期することを前記第１のワイヤレスデバイスが要求するかどうかのうちの１つまたは複数を備える、と、
前記第１のワイヤレスメッセージを送信することと
を備える、方法。
［Ｃ４１］
前記宛先デバイスの前記タイプは、前記宛先デバイスが局、またはアクセスポイントかどうかを示す、
Ｃ４０に記載の方法。
［Ｃ４２］
密集したワイヤレスネットワーク内のメッセージを送信するための装置であって、前記ワイヤレスネットワークは、キャリアセンス媒体アクセスを利用し、前記装置は、
第１のワイヤレスメッセージを生成するように構成されたプロセッサ、前記メッセージは、１つまたは複数のインジケーションを備え、前記インジケーションは、前記第１のワイヤレスメッセージの宛先のタイプ、および前記第１のワイヤレスメッセージを受信しているデバイスが前記第１のワイヤレスメッセージの送信の間にそれら自身の送信を延期する要求を前記装置が要求するかどうか、のうちの１つまたは複数を備える、と、
前記第１のワイヤレスメッセージを送信するように構成される送信機と
を備える、装置。
［Ｃ４３］
前記宛先デバイスの前記タイプは、前記宛先デバイスが局またはアクセスポイントであるかどうかを示す、
Ｃ４２に記載の装置。